【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
トリフルオロエチレンと２，３，３，３−テトラフルオロプロペンを含む熱サイクル用作動媒体であって、前記作動媒体全量に対するトリフルオロエチレンと２，３，３，３−テトラフルオロプロペンの合計量の割合が７０〜１００質量％であり、トリフルオロエチレンと２，３，３，３−テトラフルオロプロペンの合計量に対するトリフルオロエチレンの割合が３５〜９５質量％であり、
前記作動媒体は、飽和のヒドロフルオロカーボンおよび炭素−炭素二重結合を有するヒドロフルオロカーボン（ただし、トリフルオロエチレンおよび２，３，３，３−テトラフルオロプロペンを除く）から選ばれる少なくとも１種を、前記作動媒体全量に対して０〜３０質量％含むことを特徴とする熱サイクル用作動媒体とエステル系潤滑油とを含む熱サイクルシステム用組成物。
【請求項２】
前記作動媒体全量に対するトリフルオロエチレンと２，３，３，３−テトラフルオロプロペンの合計の割合が８０〜１００質量％である請求項１に記載の熱サイクルシステム用組成物。
【請求項３】
トリフルオロエチレンと２，３，３，３−テトラフルオロプロペンの合計量に対するトリフルオロエチレンの割合が４０〜９５質量％である、請求項１または２に記載の熱サイクルシステム用組成物。
【請求項４】
前記作動媒体全量に対するトリフルオロエチレンの割合が７０モル％以下である請求項１〜３のいずれか１項に記載の熱サイクルシステム用組成物。
【請求項５】
前記炭素−炭素二重結合を有するヒドロフルオロカーボンが、１，２−ジフルオロエチレン、２−フルオロプロペン、１，１，２−トリフルオロプロペン、トランス−１，２，３，３，３−ペンタフルオロプロペン、シス−１，２，３，３，３−ペンタフルオロプロペン、トランス−１，３，３，３−テトラフルオロプロペン、シス−１，３，３，３−テトラフルオロプロペン、および３，３，３−トリフルオロプロペンからなる群より選ばれる少なくとも１種である、請求項１〜４のいずれか１項に記載の熱サイクルシステム用組成物。
【請求項６】
前記炭素−炭素二重結合を有するヒドロフルオロカーボンが、トランス−１，３，３，３−テトラフルオロプロペンである、請求項１〜５のいずれか１項に記載の熱サイクルシステム用組成物。
【請求項７】
前記飽和のヒドロフルオロカーボンが、ジフルオロメタン、１，１−ジフルオロエタン、１，１，１−トリフルオロエタン、１，１，２，２−テトラフルオロエタン、１，１，１，２−テトラフルオロエタンおよびペンタフルオロエタンからなる群より選ばれる少なくとも１種である、請求項１〜６のいずれか１項に記載の熱サイクルシステム用組成物。
【請求項８】
前記飽和のヒドロフルオロカーボンが、ジフルオロメタン、１，１，１，２−テトラフルオロエタンおよびペンタフルオロエタンからなる群より選ばれる少なくとも１種である、請求項１〜７のいずれか１項に記載の熱サイクルシステム用組成物。
【請求項９】
前記飽和のヒドロフルオロカーボンがジフルオロメタンであって、トリフルオロエチレンと２，３，３，３−テトラフルオロプロペンとジフルオロメタンの合計量に対するトリフルオロエチレンの割合が３０〜８０質量％、２，３，３，３−テトラフルオロプロペンの割合が４０質量％以下、かつジフルオロメタンの割合が３０質量％以下であり、作動媒体全量に対するトリフルオロエチレンの割合が７０モル％以下である請求項８に記載の熱サイクルシステム用組成物。
【請求項１０】
請求項１〜９のいずれか１項に記載の熱サイクルシステム用組成物を用いた、熱サイクルシステム。
【請求項１１】
冷凍・冷蔵機器、空調機器、発電システム、熱輸送装置または二次冷却機である請求項１０に記載の熱サイクルシステム。
【請求項１２】
ルームエアコン、店舗用パッケージエアコン、ビル用パッケージエアコン、設備用パッケージエアコン、ガスエンジンヒートポンプ、列車用空調装置、自動車用空調装置、内蔵型ショーケース、別置型ショーケース、業務用冷凍・冷蔵庫、製氷機または自動販売機である請求項１０に記載の熱サイクルシステム。
【手続補正２】
【補正対象書類名】明細書
【補正対象項目名】発明の名称
【補正方法】変更
【補正の内容】
【発明の名称】熱サイクルシステム用組成物および熱サイクルシステム
【手続補正３】
【補正対象書類名】明細書
【補正対象項目名】００１２
【補正方法】変更
【補正の内容】
【００１２】
このような状況下、本発明者らは、ＨＦＯ−１１２３にあえて冷凍能力の低いＨＦＯ−１２３４ｙｆを特定の割合で組み合わせることで、本発明を完成した。
すなわち、本発明は、以下の［１］〜［１２］に記載の構成を有する熱サイクルシステム用組成物および熱サイクルシステムを提供する。
［１］トリフルオロエチレンと２，３，３，３−テトラフルオロプロペンを含む熱サイクル用作動媒体であって、前記作動媒体全量に対するトリフルオロエチレンと２，３，３，３−テトラフルオロプロペンの合計量の割合が７０〜１００質量％であり、トリフルオロエチレンと２，３，３，３−テトラフルオロプロペンの合計量に対するトリフルオロエチレンの割合が３５〜９５質量％であり、
前記作動媒体は、飽和のヒドロフルオロカーボンおよび炭素−炭素二重結合を有するヒドロフルオロカーボン（ただし、トリフルオロエチレンおよび２，３，３，３−テトラフルオロプロペンを除く）から選ばれる少なくとも１種を、前記作動媒体全量に対して０〜３０質量％含むことを特徴とする熱サイクル用作動媒体とエステル系潤滑油とを含む熱サイクルシステム用組成物。
【手続補正４】
【補正対象書類名】明細書
【補正対象項目名】００１３
【補正方法】変更
【補正の内容】
【００１３】
［２］前記作動媒体全量に対するトリフルオロエチレンと２，３，３，３−テトラフルオロプロペンの合計の割合が８０〜１００質量％である［１］記載の熱サイクルシステム用組成物。
［３］トリフルオロエチレンと２，３，３，３−テトラフルオロプロペンの合計量に対するトリフルオロエチレンの割合が４０〜９５質量％である、［１］または［２］に記載の熱サイクルシステム用組成物。
【手続補正５】
【補正対象書類名】明細書
【補正対象項目名】００１４
【補正方法】変更
【補正の内容】
【００１４】
［４］前記作動媒体全量に対するトリフルオロエチレンの割合が７０モル％以下である［１］〜［３］のいずれかに記載の熱サイクルシステム用組成物。
［５］前記炭素−炭素二重結合を有するヒドロフルオロカーボンが、１，２−ジフルオロエチレン、２−フルオロプロペン、１，１，２−トリフルオロプロペン、トランス−１，２，３，３，３−ペンタフルオロプロペン、シス−１，２，３，３，３−ペンタフルオロプロペン、トランス−１，３，３，３−テトラフルオロプロペン、シス−１，３，３，３−テトラフルオロプロペン、および３，３，３−トリフルオロプロペンからなる群より選ばれる少なくとも１種である、［１］〜［４］のいずれかに記載の熱サイクルシステム用組成物。
［６］前記炭素−炭素二重結合を有するヒドロフルオロカーボンが、トランス−１，３，３，３−テトラフルオロプロペンである、［１］〜［５］のいずれかに記載の熱サイクルシステム用組成物。
【手続補正６】
【補正対象書類名】明細書
【補正対象項目名】００１５
【補正方法】変更
【補正の内容】
【００１５】
［７］前記飽和のヒドロフルオロカーボンが、ジフルオロメタン、１，１−ジフルオロエタン、１，１，１−トリフルオロエタン、１，１，２，２−テトラフルオロエタン、１，１，１，２−テトラフルオロエタンおよびペンタフルオロエタンからなる群より選ばれる少なくとも１種である、［１］〜［６］のいずれかに記載の熱サイクルシステム用組成物。
［８］前記飽和のヒドロフルオロカーボンが、ジフルオロメタン、１，１，１，２−テトラフルオロエタンおよびペンタフルオロエタンからなる群より選ばれる少なくとも１種である、［１］〜［７］のいずれかに記載の熱サイクルシステム用組成物。
［９］前記飽和のヒドロフルオロカーボンがジフルオロメタンであって、トリフルオロエチレンと２，３，３，３−テトラフルオロプロペンとジフルオロメタンの合計量に対するトリフルオロエチレンの割合が３０〜８０質量％、２，３，３，３−テトラフルオロプロペンの割合が４０質量％以下、かつジフルオロメタンの割合が３０質量％以下であり、作動媒体全量に対するトリフルオロエチレンの割合が７０モル％以下である［８］に記載の熱サイクルシステム用組成物。
【手続補正７】
【補正対象書類名】明細書
【補正対象項目名】００１６
【補正方法】変更
【補正の内容】
【００１６】
［１０］前記［１］〜［９］のいずれかに記載の熱サイクルシステム用組成物を用いた、熱サイクルシステム。
［１１］冷凍・冷蔵機器、空調機器、発電システム、熱輸送装置または二次冷却機である［１０］に記載の熱サイクルシステム。
［１２］ルームエアコン、店舗用パッケージエアコン、ビル用パッケージエアコン、設備用パッケージエアコン、ガスエンジンヒートポンプ、列車用空調装置、自動車用空調装置、内蔵型ショーケース、別置型ショーケース、業務用冷凍・冷蔵庫、製氷機または自動販売機である［１０］に記載の熱サイクルシステム。